(57)【要約】  電子装置（１００）は３個の略々平面なパネルを備える。第１のパネル（１３０）は、第１の側面及び第２の側面を有し、ディスプレイ（１２０）を備える。第２のパネル（１４０）は、第１のインタフェース（１７５）を有し、第１のパネル（１３０）の第１の側面に折り畳み可能に連結される。第３のパネル（１５０）は、第２のパネル（１８０）を有し、第１のパネルの第２の側面に折り畳み可能に連結される。電子装置には、少なくとも２つの状態がある。第１の状態のとき、第１のインタフェース及び第２のインタフェースは隠れる。第２の状態のとき、第１のインタフェース及び第２のインタフェースは露出する。
2008502032.tif 000002
【特許請求の範囲】
【請求項１】
ａ．ディスプレイと、第１の側面及び第２の側面とを有する第１の略々平面なパネルと、
ｂ．第１のインタフェースを有し、上記第１の略々平面なパネルの第１の側面に折り畳み可能に連結された第２の略々平面なパネルと、
ｃ．第２のインタフェースを有し、上記第１の略々平面なパネルの第２の側面に折り畳み可能に連結された第３の略々平面なパネルとを備え、
ｄ．第１の状態のとき、上記第１のインタフェース及び上記第２のインタフェースが隠れ、第２の状態のとき、上記第１のインタフェース及び上記第２のインタフェースが露出する電子装置。
【請求項２】
上記第１の状態のとき、上記ディスプレイが、上記第２のパネル及び上記第３のパネルの間に形成される間隙から部分的に露出し、上記第２の状態のとき、上記ディスプレイが完全に露出することを特徴とする請求項１記載の電子装置。
【請求項３】
上記第１の状態のとき、上記ディスプレイが完全に隠され、上記第２の状態のとき、上記ディスプレイが露出することを特徴とする請求項１記載の電子装置。
【請求項４】
上記第１の状態のとき、上記第１のインタフェース及び上記第２のインタフェースによって上記ディスプレイを制御することはできず、
上記第２の状態のとき、上記第１のインタフェースのみ、上記第２のインタフェースのみ、又は上記第１及び第２のインタフェースの両方によって当該電子装置を制御できることを特徴とする請求項１記載の電子装置。
【請求項５】
上記第１の状態のとき、上記第１のインタフェースにおいて生成されたエントリが上記ディスプレイに表示されることを特徴とする請求項１記載の電子装置。
【請求項６】
上記第２の状態のとき、上記第１のインタフェースにおいて生成されたエントリが上記ディスプレイに表示されることを特徴とする請求項１記載の電子装置。
【請求項７】
上記第２の状態のとき、上記第２のインタフェースにおいて生成されたエントリが上記ディスプレイに表示されることを特徴とする請求項１記載の電子装置。
【請求項８】
上記第２の状態のとき、上記第１のインタフェース及び上記第２のインタフェースにおいて生成されたエントリが上記ディスプレイに表示されることを特徴とする請求項１記載の電子装置。
【請求項９】
上記第１の状態のとき、第１のモードで動作し、上記第２の状態のとき、第２のモードで動作することを特徴とする請求項１記載の電子装置。
【請求項１０】
上記第１の略々平面なパネルは、上記第２のパネル及び上記第３のパネルに、電子データを交換可能に連結されていることを特徴とする請求項１記載の電子装置。
【請求項１１】
当該電子装置は、手に持って操作できる大きさの携帯型機器であることを特徴とする請求項１記載の電子装置。
【請求項１２】
当該電子装置は、娯楽装置であることを特徴とする請求項１記載の電子装置。
【請求項１３】
当該電子装置は、音楽再生装置であることを特徴とする請求項１記載の電子装置。
【請求項１４】
当該電子装置は、他の機器に接続するためのコネクタを備える請求項１記載の電子装置。
【請求項１５】
第３のインタフェースを更に備える請求項２記載の電子装置。
【請求項１６】
上記第３のインタフェースは、音楽再生インタフェースであることを特徴とする請求項１５記載の電子装置。
【請求項１７】
上記第３のインタフェースは、上記第２のパネルに配設されていることを特徴とする請求項１６記載の電子装置。
【請求項１８】
上記第１の状態又は第２の状態のとき、上記第３のインタフェースが露出することを特徴とする請求項１５記載の電子装置。
【請求項１９】
上記第１の状態のとき、上記第３のインタフェースが上記ディスプレイを制御することを特徴とする請求項１５記載の電子装置。
【請求項２０】
ａ．ディスプレイと、第１の側面及び第２の側面とを有する第１の略々平面なパネルと、
ｂ．第１のゲームインタフェースを有し、上記第１の略々平面なパネルの第１の側面に折り畳み可能に連結された第２のパネルと、
ｃ．第２のゲームインタフェースを有し、上記第１の略々平面なパネルの第２の側面に折り畳み可能に連結された第３のパネルと、
ｄ．音楽再生インタフェースとを備え、
第１の状態のとき、上記第１のゲームインタフェース及び上記第２ゲームインタフェースが隠れ、第２の状態のとき、上記第１のゲームインタフェース及び上記第２ゲームインタフェースが露出することを特徴とする娯楽装置。
【請求項２１】
上記音楽再生インタフェースは、上記第１の略々平面なパネルの第３の側面に配設されていることを特徴とする請求項２０記載の娯楽装置。
【請求項２２】
上記音楽再生インタフェースは、第１の略々平面なパネルの上面に配設されていることを特徴とする請求項２０記載の娯楽装置。
【請求項２３】
上記音楽再生インタフェースは、上記第２パネルの背面に配設されていることを特徴とする請求項２０記載の娯楽装置。
【請求項２４】
上記第１の状態のとき、上記ディスプレイが、上記第２のパネル及び上記第３のパネルの間に形成される間隙から部分的に露出し、上記第２の状態のとき、上記ディスプレイが完全に露出することを特徴とする請求項２０記載の娯楽装置。
【請求項２５】
上記第１の状態のとき、上記ディスプレイが完全に隠れ、上記第２の状態のとき、上記ディスプレイが露出することを特徴とする請求項２０記載の娯楽装置。
【請求項２６】
上記第１の状態のとき、音楽再生インタフェースによって当該娯楽装置を制御することができ、上記第２の状態のとき、上記第１のゲームインタフェースのみ、上記第２のゲームインタフェースのみ、又は上記第１及び第２のゲームインタフェースの両方によって当該娯楽装置を制御できることを特徴とする請求項２０記載の娯楽装置。
【請求項２７】
上記第１の状態のとき、上記音楽再生インタフェースにおいて生成されたエントリが上記ディスプレイに表示され、上記第２の状態のとき、上記第１のゲームインタフェースにおいて生成されたエントリが上記ディスプレイに表示されることを特徴とする請求項２０記載の娯楽装置。
【請求項２８】
上記第１の状態のとき、上記音楽再生インタフェースにおいて生成されたエントリが上記ディスプレイに表示され、
上記第２の状態のとき、上記ゲームインタフェースにおいて生成されたエントリが上記ディスプレイに表示されることを特徴とする請求項２０記載の娯楽装置。
【請求項２９】
上記第１の状態のとき、上記音楽再生インタフェースにおいて生成されたエントリが上記ディスプレイに表示され、
上記第２の状態のとき、上記音楽再生インタフェース及び上記ゲームインタフェースの両方において生成されたエントリが上記ディスプレイに表示されることを特徴とする請求項２０記載の娯楽装置。
【請求項３０】
上記第１の状態のとき、第１のモードで動作し、上記第２の状態のとき、第２のモードで動作することを特徴とする請求項２０記載の娯楽装置。
【請求項３１】
第１のモードが音楽再生モードであり、第２のモードがゲームモードであることを特徴とする請求項３０記載の娯楽装置。
【請求項３２】
上記第１の略々平面なパネルは、上記第２のパネル及び上記第３のパネルに、電子データを交換可能に連結されていることを特徴とする請求項２０記載の娯楽装置。
【請求項３３】
当該娯楽装置は、手に持って操作できる大きさの携帯型機器であることを特徴とする請求項２０記載の娯楽装置。
【請求項３４】
他の機器に接続するためのコネクタを備えることを特徴とする請求項２０記載の娯楽装置。
【請求項３５】
上記コネクタは、上記第１の略々平面なパネルの第３の側面に配設されていることを特徴とする請求項３４記載の娯楽装置。
【請求項３６】
第３のゲームインタフェースを更に備える請求項２０記載の娯楽装置。
【請求項３７】
上記第３のゲームインタフェースは、
上記第１の略々平面なパネルの第３の側面に配設されていることを特徴とする請求項３６記載の娯楽装置。
【請求項３８】
ａ．ディスプレイと、第１の側面及び第２の側面とを有する第１の略々平面なパネルと、
ｂ．第１のキーボードを備え、上記第１の略々平面なパネルの上記第１の側面に折り畳み可能に連結された第２のパネルと、
ｃ．第２のキーボードを備え、上記第１の略々平面なパネルの上記第２の側面に折り畳み可能に連結された第３のパネルと、
ｄ．音楽再生インタフェースとを備え、
第１の状態のとき、上記第１のキーボード及び第２のキーボードは隠れ、第２の状態のとき、第１のキーボード及び第２のキーボードは露出することを特徴とする電子装置。
【請求項３９】
上記音楽再生インタフェースは、上記第１の略々平面なパネルの上記第３の側面に配設されていることを特徴とする請求項３８記載の電子装置。
【請求項４０】
上記音楽再生インタフェースは、上記第１の略々平面なパネルの上面に配設されていることを特徴とする請求項３８記載の電子装置。
【請求項４１】
上記音楽再生インタフェースは、
上記第２のパネルの背面に配設されていることを特徴とする請求項３８記載の電子装置。
【請求項４２】
上記第１の状態のとき、上記ディスプレイが、上記第２のパネル及び上記第３のパネルの間に形成される間隙から部分的に露出し、上記第２の状態のとき、上記ディスプレイが完全に露出することを特徴とする請求項３８記載の電子装置。
【請求項４３】
上記第１の状態のとき、上記ディスプレイが完全に隠れ、上記第２の状態のとき、ディスプレイが露出することを特徴とする請求項３８記載の電子装置。
【請求項４４】
上記第１の状態のとき、上記音楽再生インタフェースによって当該電子装置を制御することができ、上記第２の状態のとき、上記第１のキーボードのみ、上記第２のキーボードのみ、又は上記第１及び第２のキーボードの両方によって当該電子装置を制御できることを特徴とする請求項３８記載の電子装置。
【請求項４５】
上記第１の状態のとき、上記音楽再生インタフェースにおいて生成されたエントリが上記ディスプレイに表示され、上記第２の状態のとき、上記第１のキーボードにおいて生成されたエントリが上記ディスプレイに表示されることを特徴とする請求項３８記載の電子装置。
【請求項４６】
上記第１の状態のとき、上記音楽再生インタフェースにおいて生成されたエントリが上記ディスプレイに表示され、上記第２の状態のとき、上記第２のキーボードにおいて生成されたエントリが上記ディスプレイに表示されることを特徴とする請求項３８記載の電子装置。
【請求項４７】
上記第１の状態のとき、上記音楽再生インタフェースにおいて生成されたエントリが上記ディスプレイに表示され、上記第２の状態のとき、上記第１のキーボード及び上記第２のキーボードの両方において生成されたエントリが上記ディスプレイに表示されることを特徴とする請求項３８記載の電子装置。
【請求項４８】
上記第１の状態のとき、第１のモードで動作し、上記第２の状態のとき、第２のモードで動作することを特徴とする請求項３８記載の電子装置。
【請求項４９】
上記第１のモードは、音楽再生モードであり、第２のモードは、データ入力モードであることを特徴とする請求項４８記載の電子装置。
【請求項５０】
上記第１の略々平面なパネルは、上記第２のパネル及び上記第３のパネルに、電子データを交換可能に連結されていることを特徴とする請求項３８記載の電子装置。
【請求項５１】
当該電子装置は、手に持って操作できる大きさの携帯型機器であることを特徴とする請求項３８記載の電子装置。
【請求項５２】
当該電子装置は、他の機器に接続するためのコネクタを備える請求項３８記載の電子装置。
【請求項５３】
上記コネクタは、上記第３の略々平面なパネルの第３の側面に配設されていることを特徴とする請求項５２記載の電子装置。
【請求項５４】
当該電子装置は、第３のキーボードインタフェースを更に備える請求項３８記載の電子装置。
【請求項５５】
上記第３のキーボードインタフェースは、上記第１の略々平面なパネルの第３の側面に配設されている請求項５４記載の電子装置。
【請求項５６】
上記第１のキーボード及び第２のキーボードは、ＱＷＥＲＴＹ配列キーボードであることを特徴とする請求項３８記載の電子装置。
【請求項５７】
ファンクションキーを更に備える請求項３８記載の電子装置。
【発明の詳細な説明】
【技術分野】
【０００１】
本発明は、個人的な娯楽のための電子通信装置に関する。詳しくは、本発明は、小型の個人用娯楽装置に関する。
【背景技術】
【０００２】
個人用娯楽装置（Personal Entertainment Devices：以下、ＰＥＤという。）で余暇を楽しむモバイルユーザが増えている。ＰＥＤは、音楽ファイルから再生される音楽を聴いたり、ゲームシステムとインタラクトしたり、単体のテレビゲームで遊んだりすることにおいて特に便利である。しかしながら、従来のＰＥＤは、表示装置、コントローラ、インタフェースを設置するのにスペースが必要な上、単体の小型装置に複数の娯楽機能を搭載することはできず、嵩張り、扱いが煩雑で大きすぎるという問題がある。その大きさに加えて、従来のＰＥＤは、ＰＥＤ本体を汚れ、泥、埃、潜在的な傷等から保護するための重い保護カバーを備えている。
【発明の開示】
【発明が解決しようとする課題】
【０００３】
そこで、複数の娯楽機能を搭載した、ユーザに優しい個人用娯楽装置が求められている。すなわち、本発明の目的は、複数の機能を搭載した、より小型なＰＥＤを提供することである。
【課題を解決するための手段】
【０００４】
従来の技術の課題を解決するために、本発明は、所定のパネルの開閉によって、複数の娯楽要素にアクセスでき、並びに機器を保護的にカバーできる電子装置を提供する。この所定のパネルは、電子装置のフラップ（垂れ蓋）でもある。電子装置がフラップを開いた第１の状態のとき、このフラップに配設されたインタフェースにアクセスできる。電子装置がフラップを閉じる第２の状態のときは、このフラップに配設されたインタフェースにはアクセスできない。
【０００５】
本発明の実施の形態として示す電子装置は、ディスプレイを含む第１の略々なパネルと、第２のパネル及び第３のパネルとを備える。第１のパネルは、第１及び第２の側面とを備える。第２のパネルは、第１のインタフェースを備えており、第１の略々平面なパネルの第１の側面に折り畳み可能に連結されている。第３のパネルは、第２のインタフェースを備えており、第１の略々平面なパネルの第２の側面に折り畳み可能に連結されている。第１の状態のとき、第１及び第２のインタフェースは隠れ、第２の状態のとき、第１及び第２のインタフェースは、露出する。一実施の形態においては、電子装置が第１の状態のとき、電子装置が第１の状態にあるとき、ディスプレイは、第２のパネルと第３のパネルとの間に形成される間隙を介して見ることができ、第２の状態にあるとき、ディスプレイは完全に露出する。或いは、電子装置が第１の状態のとき、ディスプレイは隠れ、第２の状態のとき、ディスプレイは、露出する。電子装置はゲーム機、個人用デジタルアシスタント（ＰＤＡ）、通信機器、ＭＰ３ファイルを含むオーディオファイル及びオーディオビジュアルファイルを再生する音楽再生装置のいずれであってもよい。
【０００６】
本発明の他の実施の形態では、電子機器は、第１の状態のとき第１のモードで動作し、第２の状態のとき、第２のモードで動作する。第１の略々平面なパネルは、第２のパネル及び第３のパネルに、電子データを交換可能に連結してもよい。
【０００７】
更に他の実施の形態においては、電子装置は、手に持って操作できる大きさの携帯型機器である。電子装置は、好ましくは、娯楽装置である。これに代えて、電子装置は、音楽再生装置であってもよい。
【０００８】
他の実施の形態として、電子機器は、第３のインタフェースを更に備えていてもよい。好ましくは、第３のインタフェースは、例えば、ＭＰ３音楽ファイル等を再生するための音楽再生インタフェースであり、これにより、フラップが閉じられ、電子装置が第１の状態あるとき、電子装置は、音楽を再生することができる。また、好ましくは、第３のインタフェースは、第１のインタフェースとは反対側の面に設けられる。ディスプレイの一部は、第１の状態において、第２のパネルと第３のパネルの間に形成される間隙から部分的に露出され、ユーザに見えるようにしてもよい。更に他の実施の形態として、電子装置は、他の機器に接続するためのコネクタを備えていてもよい。このコネクタは、電子装置の第１の実質的に平面のパネルの第３の側面に配設してもよい。更に他の実施の形態として、第１の実質的に平面のパネルの第３の側面に第３のインタフェースを配設してもよい。電子装置は、ゲームプレーヤ、携帯情報端末（personal digital assistant：ＰＤＡ）、通信装置、又はＭＰ３及びＭＰＥＧファイルを含むオーディオファイル及びオーディオビジュアルファイルを再生できる音楽再生装置であってもよい。好ましい実施の形態で第３のインタフェースは、電子機器が第１の状態のとき、ディスプレイを制御する。
【０００９】
他の実施の形態においては、電子機器が第１の状態のとき、第１のインタフェース及び第２のインタフェースによってディスプレイを制御することはできず、電子機器が第２の状態のとき、第１のインタフェースのみ、第２のインタフェースのみ、又は第１及び第２のインタフェースの両方によって電子装置を制御できるようにしてもよい。これに代えて、第２の状態のとき、第１のインタフェースにおいて生成されたエントリがディスプレイに表示されるようにしてもよい。或いは、第２の状態のとき、第２のインタフェースにおいて生成されたエントリがディスプレイに表示されるようにしてもよい。或いは、第２の状態のとき、第１のインタフェース及び第２のインタフェースにおいて生成されたエントリがディスプレイに表示されるようにしてもよい。電子装置は、ゲームプレーヤ、携帯情報端末（ＰＤＡ）、通信装置及びＭＰ３ファイルを含むデジタルファイルを再生できる音楽再生装置のいずであってもよい。
【発明を実施するための最良の形態】
【００１０】
本発明は、より小型化され、保護機能に優れ、占有面積が小さい便利な個人用娯楽装置（Personal Entertainment Devices：以下、ＰＥＤという。）を提供する。本発明に基づく電子装置には、予め保護カバーが組み込まれており、本発明によって、単純な一回の動作で同時に複数の娯楽インタフェースにアクセスできる。更に、本発明は、携帯性とユーザフレンドリーなレイアウトを犠牲にすることなく、上述したような利点を提供する。
【００１１】
具体的には、従来のＰＥＤの大きさの問題を解決するために、本発明は、第１の略々平面なパネルと、第２の略々平面なパネルと、第３の略々平面なパネルとを備える。第１の平面なパネルは、ディスプレイと、第１及び第２の側面とを備える。第２のパネルは、第１のインタフェースを備えており、第１の略々平面なパネルの第１の側面に折り畳み可能に連結されている。第３のパネルは、第２のインタフェースを備えており、第１の略々平面なパネルの第２の側面に折り畳み可能に連結されている。
【００１２】
電子装置には、２つの状態（position）がある。第１の状態（閉状態）では、第２及び第３のパネルが第１のパネルの上に折り畳まれ、電子装置の占有面積が縮小される。第１の状態では、電子装置は、より小型で携帯しやすい。第１の状態では、第１のインタフェース及び第２のインタフェースが隠れ、その結果、汚れ、埃、傷等の潜在的な危険から保護される。好ましくは、第１のインタフェースは、第２のパネルの上面に配設され、第２のインタフェースは、第３のインタフェースの上面に配設されている。第１の状態では、第１のインタフェース及び第２のインタフェースは、隠れ、アクセスもできなくなる。一方、第２の状態（開状態）では、第２のパネル及び第３のパネルはヒンジを支点に第１のパネルから開かれる。第２の状態では、第１のインタフェース及び第２のインタフェースは、露出し、アクセスできるようになる。好ましい実施の形態では、電子装置が第２の状態のとき、第１のインタフェース及び第２のインタフェースは、同時にアクセスでき、これらを用いてディスプレイを制御できる。
【００１３】
本発明の好ましい実施の形態においては、第１の状態では、電子装置は、音楽再生装置として動作する。なお、電子装置は、第１の状態では、ゲーム、通信装置、ＰＤＡ、ウェブブラウザ等、如何なる電子機器として動作するものであってもよい。好ましい実施の形態においては、第２のパネルの第１のインタフェースの反対面には、第３のインタフェースが配設されている。第３のインタフェースは、好ましくは、ＭＰ３音楽ファイル等のための音楽再生インタフェースとして機能し、これにより、電子装置のフラップが閉じている第１の状態でも、音楽を再生することができる。
【００１４】
図１Ａ、図１Ｂ及び図１Ｃは、第１の状態における電子装置１００を示している。電子装置１００は、手に持って操作できる大きさの携帯型機器である。一実施の形態では、電子装置１００は、娯楽装置である。電子装置１００が第１の状態にあるとき、第１の略々平面なパネル１３０に配設されたディスプレイ１２０は、電子装置１００の第２の略々平面なパネル１４０と第３の略々平面なパネル１５０との間に形成される間隙を介して見ることができる。電子装置１００、１００’の状態は、電子装置１００、１００’のモードに対応する。好ましい実施の形態においては、音楽再生インタフェースを有する電子装置１００、１００’が第１の状態（閉状態）のとき、電子装置１００、１００’は、第１のモードにあり、このモードは、音楽再生モードとも呼ばれる（図１Ａ、図１Ｂ及び図１Ｃ）。好ましい実施の形態においては、電子装置１００、１００’が第２の状態（開状態）のとき、電子装置１００、１００’は、第２のモードにある（図２Ａ及び図２Ｂ）。電子装置１００、１００’は、自らが第１の状態にあるか、第２の状態にあるかを感知する。一実施の形態においては、電子装置１００、１００’の第１のパネル１３０は、第２のパネル１４０及び第３のパネル１５０に動作可能に連結（operatively coupled）し、これによって、電子データを交換することができる。
【００１５】
図１Ａ、図１Ｂ及び図１Ｃに示すように、電子装置１００、１００’が第１の状態のとき、好ましい実施の形態においては、電子装置１００は、音楽ビデオファイルを再生でき、すなわち、リアルタイムで、ディスプレイ１２０上にビデオセグメントを再生しながら、音声が出力される。電子装置１００、１００’は、好ましくは、音楽再生装置である。電子装置１００、１００’は、ディスプレイ１２０の電源がオフの状態でもオーディオファイルを再生できる。本発明の好ましい実施の形態においては、電子装置１００、１００’が第１の状態のとき、ディスプレイ１２０は、パネル１４０及びパネル１５０の間に形成される間隙から部分的に露出する。或いは、電子装置１００、１００’が第１の状態のとき、ディスプレイ１２０が完全に隠れるような構成にしてもよい。
【００１６】
図１Ａに示す好ましい実施の形態においては、第３のインタフェースとして、第２のパネル１４０の背面に音楽再生インタフェース１１０を配設してもよい。好ましくは、音楽再生インタフェース１１０は、第１のインタフェースの反対面（図示せず）に配設される。電子装置１００が第１の状態のとき、ディスプレイ１２０及び電子装置１００は、音楽再生インタフェース１１０によって制御される（図１Ａ、図１Ｂ、図１Ｃ）。図１Ａに示すように、電子装置１００が第１の状態のとき、音楽再生インタフェース１１０は露出する。或いは、図１Ｂに示すように、第１の略々平面なパネル１３０の側面に、音楽再生インタフェース１１０’を配設してもよい。更に他の実施の形態として、第１の略々平面なパネル１３０の上面に音楽再生インタフェース１１０”を配設してもよい（図１Ｃ）。図１Ｃに示すように、この他の実施の形態では、音楽再生インタフェース１１０”は第１の略々平面なパネル１３０の上面に配設されたディスプレイ１２０の下方に配設されている。
【００１７】
図２Ａ及び図２Ｂは、第２の状態における、電子装置１００’のそれぞれ側面図及び平面図である。上述した通り、第２のパネル１４０’及び第３のパネル１５０’の両方が開き、第２のパネル１４０’及び第３のパネル１５０’の両方にアクセスできるため、第２の状態は、開状態となる。図２Ａに示すように、電子装置１００’が第２の状態のとき、第２のパネル１４０’及び第３のパネル１５０’は、ヒンジを支点に第１のパネル１３０’から開かれる。したがって、図２Ｂに示すように、第１のインタフェース１１５及び第２のインタフェース１２５は、第２のパネル１４０’及び第３のパネル１５０’の上面に配設されているため、電子装置１００’が第２の状態のとき、第１のインタフェース１１５及び第２のインタフェース１２５にアクセスできる。電子装置１００’が第２の状態のとき、第１のインタフェース１１５のみ、第２のインタフェース１２５のみ、又は第１及び第２のインタフェース１１５、１２５の両方によって電子装置１００’を制御できる。更に、電子装置１００’が第２の状態のとき、第１の略々平面なパネル１３０’のディスプレイ１２０’は、露出する。
【００１８】
図２Ａ及び図２Ｂに示すように、電子装置１００’が第２の状態のとき、第１のインタフェース１１５において生成されたエントリがディスプレイ１２０’に表示される。エントリには、後述するように、数字キーパッド又は英数字キーパッドに対するキーストローク、ジョイスティックの動き、タッチパネル上の動き、スクロールバーの動き等が含まれる。或いは、第２の状態のとき、第２のインタフェース１２５において生成されたエントリが、ディスプレイ１２０’に表示される。更に他の実施の形態として、第１及び第２のインタフェース１１５、１２５の両方又はいずれか一方において生成されたエントリを、ディスプレイ１２０’に表示してもよい。
【００１９】
図２Ａ（側面図）及び２Ｂ（平面図）に示すように、第２のパネル１４０’は、第１のヒンジ式の連結部材（hinged coupler）１７５を介して、第１の略々平面なパネル１３０’の第１の側面１４５、１４５’に連結されている。同様に、第３のパネル１５０’は、第２の第１のヒンジ式の連結部材１８５を介して、第１の略々平面なパネル１３０’の第２の側面１５５、１５５’に連結されている。第１のヒンジ式の連結部材１７５及び第２のヒンジ式の連結部材１８５によって、第２のパネル１４０’及び第３のパネル１５０’は、それぞれ電子装置１００’に対して開閉できる。上述したように、電子装置１００’が第２の状態のとき、第２パネル１４０’及び第３のパネル１５０’の両方の上面にアクセスすることができる（図２Ａ及び図２Ｂ）。第２の状態のときには、第２のパネル１４０’及び第３のパネル１５０’の上面にアクセスできるとともに、第１のインタフェース１１５及び第２のインタフェース１２５にもアクセスできる。一実施の形態において、音楽再生インタフェース１１０”が第１の略々平面なパネル１３０’に配設されている場合、電子装置１００”が第２の状態のとき、音楽再生インタフェース１１０”にもアクセスできる（図３Ａ）。
【００２０】
図２Ａ及び図２Ｂに示すように、電子装置１００’の第２のパネル１４０’及び第３のパネル１５０’は、第２の状態（開状態）のときに出現する異なる種類の複数のインタフェースを有することができる。例えば、図３Ａに示す一実施の形態においては、電子装置１００’は、第２の状態のとき、第１のゲームインタフェース２１０及び第２のゲームインタフェース２２０とを備える娯楽装置であってもよい。娯楽装置の場合、手に持って操作できる大きさの携帯型機器であることが好ましい。図３Ａに示すように、第２のパネル１４０’の上面には、第１のゲームインタフェース２１０が配設され、第３のパネル１５０’の上面には、第２のゲームインタフェース２２０が配設されている。電子装置１００’が第２の状態のときは、第１のゲームインタフェース２１０、第２のゲームインタフェース２２０及びディスプレイ１２０’にアクセスできる。図３Ａに示すように、音楽再生インタフェース１１０”が第１の略々平面なパネル１３０’に配設されている場合、電子装置１００’が第２の状態のとき、音楽再生インタフェース１１０”にアクセスできる。或いは、音楽再生インタフェース１１０’は、第１の略々平面なパネル１３０の側面に、第３のインタフェースとして配設される（図１Ｂ）。好ましくは、音楽再生インタフェース１１０は、第１のインタフェースの反対面（図示せず）である、第２のパネルの背面に配設される（図１Ａ）。
【００２１】
上述の通り、図３Ａに示すように、第２のパネル１４０’は、第１のヒンジ式の連結部材１７５を介して、第１の略々平面なパネル１３０’の第１の側面１４５’に連結されている。第３のパネル１５０’は、第２のヒンジ式の連結部材１８５を介して、第１の略々平面なパネル１３０’の第２の側面１５５’に連結されている。図３Ａに示す実施の形態を、ゲーム機構成と呼ぶ。好ましくは、第１のパネル１３０’は、第２のパネル１４０’及び第３のパネルに動作可能に連結（operatively coupled）し、これによって、電子データを交換することができる。電子装置１００’が第２の状態にあり、第１のゲームインタフェース２１０及び第２のゲームインタフェース２２０がアクセス可能なとき、本実施の形態において、第２のモードをゲームモードと呼ぶ。したがって、電子装置１００、１００’が第１の状態（図１Ａ、図１Ｂ及び図１Ｃ）から第２の状態（図３Ａ）に変化すると、電子装置１００、１００’第１のモード（図１Ａ、図１Ｂ及び図１Ｃに示す音楽再生モード）から第２のモード（図３Ａに示すゲームモード）に切り換わる。好ましい実施の形態において、電子装置１００、１００’が音楽再生インタフェース１１０、１１０’、１１０”を備えていれば、第１の状態（図１Ａ、図１Ｂ及び図１Ｃ）のとき、電子装置１００、１００’は音楽再生インタフェース１１０、１１０’、１１０”によって制御できる。好ましい実施の形態においては、電子装置１００、１００’が第２の状態（図３Ａ）のとき、第１のゲームインタフェース２１０のみ、第２のゲームインタフェース２２０のみ、又は第１のゲームインタフェース２１０及び第２のゲームインタフェース２２０の両方によって電子装置１００、１００’を制御できる。
【００２２】
ゲーム機構成の他の実施の形態として、電子装置１００、１００’が第１の状態（図１Ａ、図１Ｂ及び図１Ｃ）のとき、音楽再生インタフェース１１０、１１０’１１０”によって生成されたエントリがディスプレイ１２０、１２０’に表示され、電子装置１００、１００”が第２の状態（図３Ａ）のとき、第１のゲームインタフェース２１０に生成よってされたエントリがディスプレイ１２０、１２０’に表示される。更にゲーム機構成の他の実施の形態として、電子装置１００、１００’が第１の状態（図１Ａ、図１Ｂ及び図１Ｃ）のとき、音楽再生インタフェース１１０、１１０’、１１０”によって生成されたエントリがディスプレイ１２０、１２０’に表示され、電子装置１００、１００’が第２の状態（図３Ａ）のとき、第２のゲームインタフェース２２０に生成されたエントリがディスプレイ１２０、１２０’に表示される。
【００２３】
好ましい実施の形態においては、電子装置１００、１００’が第１の状態（図１Ａ、図１Ｂ及び図１Ｃ）のとき、音楽再生インタフェース１１０、１１０’、１１０”によって生成されたエントリがディスプレイ１２０、１２０’に表示され、電子装置１００、１００’が第２の状態（図３Ａ）のとき、第１のゲームインタフェース２１０及び第２のゲームインタフェース２２０によって生成されたエントリがディスプレイ１２０、１２０’に表示される。ゲーム機構成の好ましい実施の形態として、電子装置１００、１００’が第１の状態（図１Ａ、図１Ｂ及び図１Ｃ）のとき、ディスプレイ１２０、１２０’は、第２のパネル１４０及び第３のパネル１５０の間に形成される間隙から部分的に露出し、電子装置１００、１００’が第２の状態（図３Ａ）のとき、ディスプレイ１２０、１２０’は完全に露出する。或いは、電子装置１００、１００’が第１の状態のとき、ディスプレイ１２０、１２０’は完全に隠れ、電子装置１００、１００’が第２の状態のとき、ディスプレイ１２０、１２０’は露出するようにしてもよい。
【００２４】
図３Ｂに示す本発明の実施の形態では、電子装置１００’は、第１のキーボード１６０と、第２のキーボード１８０とを備える。この構成を携帯情報端末（personal digital assistant：以下、ＰＤＡという。）構成と呼ぶ。図３Ｂに示すように、電子装置１００’が第２の状態で、第１のキーボード１６０及び第２のキーボード１８０にアクセス可能なとき、本実施の形態における第２のモードをデータ入力モードと呼ぶ。したがって、電子装置１００、１００’が第１の状態（図１Ａ、図１Ｂ、図１Ｃ）から第２の状態（図３Ｂ）に変化すると、電子装置１００、１００’は第１のモード（図１Ａ、図１Ｂ及び図１Ｃに示す音楽再生モード）から第２のモード（図３Ｂに示すデータ入力モード）に切り換わる。或いは、ＰＤＡ構成では、第１のキーボード１６０及び第２のキーボード１８０を用いて、ディスプレイ１２０上に表示されるゲームを制御したり、又は電子装置１００に接続されたゲーム機を制御したりする場合、第２のモードは、ＰＤＡゲームプレイモードと呼ぶこともできる。或いは、電子装置１００がインターネット接続のためのハブ又はネットワークに接続されている場合、第２のモードをウェブサーフィンモードと呼んでもよい。ウェブサーフィンモードでは、第１のキーボード１６０及び第２のキーボード１８０を用いて、ディスプレイ１２０’に表示されるワールドワイドウェブを閲覧することができる。
【００２５】
図３Ｂに示すように、この場合、第２のパネル１４０及び第３のパネル１５０の両方の上面、及びディスプレイ１２０にアクセスできる。この実施の形態では、第２のパネル１４０’の上面には、第１のキーボード１６０を更に設け、好ましくは、ファンクションキー１７０を設ける。更に、第３のパネル１５０’の上面には、第２のキーボード１８０を設け、好ましくは、コントロールボタン２０５を設ける。好ましくは、第１のキーボード１６０及び第２のキーボード１８０に全てのアルファベットキーを配設してもよい。或いは、第１のキーボード１６０及び第２のキーボード１８０は、ＱＷＥＲＴＹ配列のキーボードのそれぞれ片半分であってもよい。或いは、第１のキーボード１６０がカーソルコントロールキーパッドであり、第２のキーボード１８０がＱＷＥＲＴＹ配列のキーボードであってもよい。
【００２６】
図３Ｂに示すように、ゲーム機構成と同様に、ＰＤＡ構成の場合も、電子装置１００’は第２のパネル１４０’が、第１のヒンジ式の連結部材１７５を介して、第１の略々平面なパネル１３０’の第１の側面１４５’に連結されている。同様に、第３のパネル１５０’は、第２のヒンジ式の連結部材１８５を介して、第１の略々平面なパネル１３０’の第２の側面１５５’に連結されている。図３Ｂに示す電子装置１００’において、図１Ｃに示すように、第１の略々平面なパネル１３０’の上面に音楽再生インタフェース１１０”を配設してもよい。或いは、音楽再生インタフェース１１０’は、第３のインタフェースとして、第１の略々平面なパネルの側面に配設してもよい（図１Ｂ）。或いは、音楽再生インタフェース１１０’は、第２のパネル１４０の背面に配設してもよい（図１Ａ）。
【００２７】
ＰＤＡの一実施の形態においては、電子装置１００、１００’が第１の状態（図１Ａ、１Ｂ、１Ｃ）にあるとき、ディスプレイ１２０、１２０’は、第２の略々平面なパネル１４０と第３の略々平面なパネル１５０との間に形成される間隙を介して見ることができ、電子装置１００、１００’が第２の状態（図３Ｂ）のとき、ディスプレイ１２０、１２０’は完全に露出する。或いは、電子装置１００、１００’が第１の状態のとき、ディスプレイ１２０、１２０’は完全に隠れ、電子装置１００、１００’が第２の状態のとき、ディスプレイ１２０、１２０’は露出する。本発明の更なる他の実施の形態として、電子装置１００、１００’は、第１の状態（図１Ａ、１Ｂ、１Ｃ）のとき、音楽再生インタフェース１１０、１１０’、１１０”によって制御され、第２の状態（図３Ａ）のとき、第１のキーボード１６０のみ、第２のキーボード１８０のみ、又は第１のキーボード１６０及び第２のキーボード１８０の両方によって制御可能である。
【００２８】
ＰＤＡの一実施の形態においては、第１の状態（図１Ａ、１Ｂ、１Ｃ）のとき、音楽再生インタフェース１１０、１１０’、１１０”において生成されたエントリがディスプレイ１２０、１２０’に表示され、電子装置１００、１００’が第２の状態（図３Ａ）のとき、第１のキーボード１６０に生成されたエントリがディスプレイ１２０、１２０’に表示される。或いは、電子装置１００、１００’が第１の状態（図１Ａ、１Ｂ、１Ｃ）のとき、音楽再生インタフェース１１０、１１０’、１１０”において生成されたエントリがディスプレイ１２０、１２０’に表示され、電子装置１００、１００’が第２の状態（図３Ａ）のとき、第２のキーボード１８０において生成されたエントリがディスプレイ１２０、１２０’に表示される。好ましくは、第１の状態（図１Ａ、１Ｂ、１Ｃ）のとき、音楽再生インタフェース１１０、１１０’、１１０”において生成されたエントリがディスプレイ１２０、１２０’に表示され、電子装置１００、１００’が第２の状態（図３Ａ）のとき、第１のキーボード１６０及び第２のキーボード１８０の両方において生成されたエントリがディスプレイ１２０、１２０’に表示される。
【００２９】
図４Ａ及び図４Ｂは、第２の状態（開状態）における、電子装置１００’を第３の側面３１０を上面とした場合の背面図である。図４Ａ及び図４Ｂに示すように、電子装置１００’は、ゲームモード（図３Ａ）又はＰＤＡ（図３Ｂ）のどちらであってもよい。図４Ａ及び図４Ｂには、図２Ｂに示す第２の位置の電子装置１００’と同様の多くの要素を示している。図４Ａ及び図４Ｂに示すように、電子装置１００’が第２の状態のとき、第１の略々平面なパネル１３０’にアクセスできる。また第２のパネル１４０’は、ヒンジ式に接続される第１の実質的に平面のパネル１３０の第１の側面に折り畳み可能に連結されており、第３のパネル１５０’は、第１の実質的に平面のパネル１３０の’第２の側面１５５’に折り畳み可能に連結されている。図４Ａに示すように、電子装置１００’の第３の側面３１０には、電子装置１００’を電気的、機械的又は光学的に他の機器に接続するためのコネクタ３２０が配設されている。電子装置１００’は、娯楽装置、独立したゲーム装置、スピーカ、携帯電話機、携帯電話用ヘッドセット、デジタルカメラ、携帯情報端末、ジョイスティック、コンピュータ、電子メール装置等として機能してもよい。更に、電子装置１００’は、携帯電話ネットワークに接続されたハブ又はネットワークへの有線接続又は無線接続を有する通信装置であってもよい。電子装置１００’が通信装置として使用される場合、第３の側面３１０に配設されたコネクタ３２０を介して、電子装置１００’に携帯電話用ヘッドセットを接続してもよい。
【００３０】
更に、図４Ａに示すように、第３の側面３１０にアダプタジャック３３０を設けてもよい。アダプタジャック３３０には、追加的な電源に電子装置１００’を接続するための電源アダプタを接続してもよい。電子装置１００’は、更に、電池を差し込むためのバッテリパネルを備えていてもよい。バッテリパネルは、第１の実質的に平面のパネル１３０’（図４Ａ）の背面側に配設することが好ましい。また、第３の側面３１０は、電子装置１００’でゲームを楽しむために、独立したゲーム装置と接続するための、又は電子装置１００’にテレビゲームカートリッジを挿入するためのスロット３１５を備えていてもよい。このスロット３１５により、電子装置１００は、独立したゲーム装置のための専用のジョイスティック又はコントローラとして機能することもできる。
【００３１】
或いは、図４Ｂに示すように、電子装置１００’の第３の側面３１０に第３のインタフェース３４０を設けてもよい。第３のインタフェース３４０は、ゲームモードのための第３のゲームインタフェースであってもよい（図３Ａ）。或いは、第３のインタフェース３４０は、ＰＤＡのための第３のキーボードであってもよい（図３Ｂ）。或いは、第３のインタフェース３４０は、音楽再生インタフェースであってもよい。第３のインタフェース３４０の様々な選択肢によって、電子装置１００’の機能が更に向上する
更に、図４Ｂに示すように、コネクタ３２０は、第１の略々平面なパネル１３０’の第３の側面３１０に配設され、娯楽装置、他のゲーム機器、スピーカ、携帯電話機、携帯電話用ヘッドセット、デジタルカメラ、携帯情報端末、ジョイスティック、コンピュータ等の周辺機器を電子装置１００’に接続するためのコネクタ３２０を備えていてもよい。このようなコネクタ３２０により、電子装置１００’の機能性が更に高まる。なお、図４Ｂに示す実施の形態は、図４Ａのスロット３１５、アダプタジャック３３０及びバッテリパネル３２５を備えていてもよい。
【００３２】
本発明の構成及び動作原理を明瞭に説明するために、様々な詳細を含む特定の実施の形態を用いて本発明を説明した。このような特定の実施の形態の説明及びその詳細は、特許請求の範囲を限定するものではない。本発明の主旨及び範囲から逸脱することなく、例示的に選択された実施の形態を変更できることは、当業者にとって明らかである。
【図面の簡単な説明】
【００３３】
【図１Ａ】第１の状態に構成された電子装置の様々なパネル上の音楽再生インタフェースを示す、本発明に基づく電子装置の斜視図である。
【図１Ｂ】第１の状態に構成された電子装置の様々なパネル上の音楽再生インタフェースを示す、本発明に基づく電子装置の斜視図である。
【図１Ｃ】第１の状態に構成された電子装置の様々なパネル上の音楽再生インタフェースを示す、本発明に基づく電子装置の斜視図である。
【図２Ａ】図１Ａに示す電子装置の第２の形態の側面図である。
【図２Ｂ】図１Ａに示す電子装置の第２の形態の平面図である。
【図３Ａ】様々な周辺機器に接続された図１Ａに示す電子装置の第２の状態を示す図である。
【図３Ｂ】様々な周辺機器に接続された図１Ａに示す電子装置の第２の状態を示す図である。
【図４Ａ】電子装置の第３の側面にコネクタが設けられた、図１Ａに示す電子装置の第２の形態の側面図である。
【図４Ｂ】電子装置の第３の側面に第３のインタフェースが設けられた、図１Ａに示す電子装置の第２の形態の側面図である。
【図１Ａ】
2008502032.tif 000003
【図１Ｂ】
2008502032.tif 000004
【図１Ｃ】
2008502032.tif 000005
【図２Ａ】
2008502032.tif 000006
【図２Ｂ】
2008502032.tif 000007
【図３Ａ】
2008502032.tif 000008
【図３Ｂ】
2008502032.tif 000009
【図４Ａ】
2008502032.tif 000010
【図４Ｂ】
2008502032.tif 000011
【手続補正書】
【提出日】平成19年4月18日(2007.4.18)
【手続補正１】
【補正対象書類名】特許請求の範囲
【補正対象項目名】全文
【補正方法】変更
【補正の内容】
【特許請求の範囲】
【請求項１】
ａ．ディスプレイと、第１の側面及び第２の側面とを有する略々平面の第１パネルと、
ｂ．第１のインタフェースを有し、上記略々平面の第１パネルの第１の側面に折り畳み可能に連結された第２の略々平面なパネルと、
ｃ．第２のインタフェースを有し、上記略々平面の第１パネルの第２の側面に折り畳み可能に連結された第３の略々平面なパネルとを備え、
ｄ．第１の状態のとき、上記第１のインタフェース及び上記第２のインタフェースが隠れ、第２の状態のとき、上記第１のインタフェース及び上記第２のインタフェースが露出し、該第１の状態のとき、上記ディスプレイが、上記第２のパネル及び上記第３のパネルの間に形成される間隙から部分的に露出し、該第２の状態のとき、上記ディスプレイが完全に露出する電子装置。
【請求項２】
上記第１の状態のとき、上記第１のインタフェース及び上記第２のインタフェースによって上記ディスプレイを制御することはできず、
第２の状態のとき、上記第１のインタフェースのみ、上記第２のインタフェースのみ、又は上記第１及び第２のインタフェースの両方によって当該電子装置を制御できることを特徴とする請求項１記載の電子装置。
【請求項３】
上記第２の状態のとき、上記第１のインタフェースにおいて生成されたエントリが上記ディスプレイに表示されることを特徴とする請求項１記載の電子装置。
【請求項４】
上記第２の状態のとき、上記第２のインタフェースにおいて生成されたエントリが上記ディスプレイに表示されることを特徴とする請求項１記載の電子装置。
【請求項５】
上記第２の状態のとき、上記第１のインタフェース及び上記第２のインタフェースにおいて生成されたエントリが上記ディスプレイに表示されることを特徴とする請求項１記載の電子装置。
【請求項６】
上記第１の状態のとき、第１のモードで動作し、上記第２の状態のとき、第２のモードで動作することを特徴とする請求項１記載の電子装置。
【請求項７】
上記略々平面の第１パネルは、上記第２のパネル及び上記第３のパネルに、電子データを交換可能に連結されていることを特徴とする請求項１記載の電子装置。
【請求項８】
当該電子装置は、手に持って操作できる大きさの携帯型機器であることを特徴とする請求項１記載の電子装置。
【請求項９】
当該電子装置は、娯楽装置であることを特徴とする請求項１記載の電子装置。
【請求項１０】
当該電子装置は、音楽再生装置であることを特徴とする請求項１記載の電子装置。
【請求項１１】
他の機器に接続するためのコネクタを更に備える請求項１記載の電子装置。
【請求項１２】
第３のインタフェースを更に備える請求項１記載の電子装置。
【請求項１３】
上記第３のインタフェースは、上記第２のパネルの背面に配設されていることを特徴とする請求項１２記載の電子装置。
【請求項１４】
上記第３のインタフェースは、音楽再生インタフェースであることを特徴とする請求項１２記載の電子装置。
【請求項１５】
上記第３のインタフェースは、上記第２のパネルに配設されていることを特徴とする請求項１４記載の電子装置。
【請求項１６】
上記第１の状態又は第２の状態のとき、上記第３のインタフェースが露出することを特徴とする請求項１４記載の電子装置。
【請求項１７】
上記第１の状態のとき、上記第３のインタフェースが上記ディスプレイを制御することを特徴とする請求項１４記載の電子装置。
【請求項１８】
当該電子装置は、携帯電話機であることを特徴とする請求項１記載の電子装置。
【請求項１９】
ａ．ディスプレイと、第１の側面、第２の側面及び第３の側面を有する略々平面の第１パネルと、
ｂ．第１のゲームインタフェースを有し、上記略々平面の第１パネルの第１の側面に折り畳み可能に連結された第２のパネルと、
ｃ．第２のゲームインタフェースを有し、上記略々平面の第１パネルの第２の側面に折り畳み可能に連結された第３のパネルと、
ｄ．上記第１の略々平面名パネルの第３の側面に配設された音楽再生インタフェースとを備え、
第１の状態のとき、上記第１のゲームインタフェース及び上記第２ゲームインタフェースが隠れ、第２の状態のとき、上記第１のゲームインタフェース及び上記第２ゲームインタフェースが露出することを特徴とする娯楽装置。
【請求項２０】
上記第１の状態のとき、上記ディスプレイが、上記第２のパネル及び上記第３のパネルの間に形成される間隙から部分的に露出し、上記第２の状態のとき、上記ディスプレイが完全に露出することを特徴とする請求項１９記載の娯楽装置。
【請求項２１】
上記第１の状態のとき、上記ディスプレイが完全に隠れ、上記第２の状態のとき、上記ディスプレイが露出することを特徴とする請求項１９記載の娯楽装置。
【請求項２２】
上記第１の状態のとき、上記音楽再生インタフェースによって当該娯楽装置を制御することができ、上記第２の状態のとき、上記第１のゲームインタフェースのみ、上記第２のゲームインタフェースのみ、又は上記第１及び第２のゲームインタフェースの両方によって選択的に当該娯楽装置を制御できることを特徴とする請求項１９記載の娯楽装置。
【請求項２３】
上記第１の状態のとき、上記音楽再生インタフェースにおいて生成されたエントリが上記ディスプレイに表示され、上記第２の状態のとき、上記第１のゲームインタフェースにおいて生成されたエントリが上記ディスプレイに表示されることを特徴とする請求項１９記載の娯楽装置。
【請求項２４】
上記第１の状態のとき、上記音楽再生インタフェースにおいて生成されたエントリが上記ディスプレイに表示され、
上記第２の状態のとき、上記ゲームインタフェースにおいて生成されたエントリが上記ディスプレイに表示されることを特徴とする請求項１９記載の娯楽装置。
【請求項２５】
上記第１の状態のとき、上記音楽再生インタフェースにおいて生成されたエントリが上記ディスプレイに表示され、
上記第２の状態のとき、上記音楽再生インタフェース及び上記ゲームインタフェースの両方において生成されたエントリが上記ディスプレイに表示されることを特徴とする請求項１９記載の娯楽装置。
【請求項２６】
上記第１の状態のとき、第１のモードで動作し、上記第２の状態のとき、第２のモードで動作することを特徴とする請求項１９記載の娯楽装置。
【請求項２７】
上記第１のモードが音楽再生モードであり、上記第２のモードがゲームモードであることを特徴とする請求項１９記載の娯楽装置。
【請求項２８】
上記略々平面の第１パネルは、上記第２のパネル及び上記第３のパネルに、電子データを交換可能に連結されていることを特徴とする請求項１９記載の娯楽装置。
【請求項２９】
当該娯楽装置は、手に持って操作できる大きさの携帯型機器であることを特徴とする請求項１９記載の娯楽装置。
【請求項３０】
他の機器に接続するためのコネクタを備えることを特徴とする請求項１９記載の娯楽装置。
【請求項３１】
上記コネクタは、上記略々平面の第１パネルの第３の側面に配設されていることを特徴とする請求項３０記載の娯楽装置。
【請求項３２】
当該娯楽装置は、携帯電話機であることを特徴とする請求項１９記載の娯楽装置。
【請求項３３】
ａ．ディスプレイと、第１の側面、第２の側面及び第３の側面を有する略々平面の第１パネルと、
ｂ．第１のキーボードを備え、上記略々平面の第１パネルの上記第１の側面に折り畳み可能に連結された第２のパネルと、
ｃ．第２のキーボードを備え、上記略々平面の第１パネルの上記第２の側面に折り畳み可能に連結された第３のパネルと、
ｄ．上記第１の略々平面名パネルの第３の側面に配設された音楽再生インタフェースとを備え、
第１の状態のとき、上記第１のキーボード及び第２のキーボードは隠れ、第２の状態のとき、第１のキーボード及び第２のキーボードは露出することを特徴とする電子装置。
【請求項３４】
上記第１の状態のとき、上記ディスプレイが、上記第２のパネル及び上記第３のパネルの間に形成される間隙から部分的に露出し、上記第２の状態のとき、上記ディスプレイが完全に露出することを特徴とする請求項３３記載の電子装置。
【請求項３５】
上記第１の状態のとき、上記ディスプレイが完全に隠れ、上記第２の状態のとき、ディスプレイが露出することを特徴とする請求項３３記載の電子装置。
【請求項３６】
上記第１の状態のとき、上記音楽再生インタフェースによって当該電子装置を制御することができ、上記第２の状態のとき、上記第１のキーボードのみ、上記第２のキーボードのみ、又は上記第１及び第２のキーボードの両方によって選択可能に当該電子装置を制御できることを特徴とする請求項３３記載の電子装置。
【請求項３７】
上記第１の状態のとき、上記音楽再生インタフェースにおいて生成されたエントリが上記ディスプレイに表示され、上記第２の状態のとき、上記第１のキーボードにおいて生成されたエントリが上記ディスプレイに表示されることを特徴とする請求項３３記載の電子装置。
【請求項３８】
上記第１の状態のとき、上記音楽再生インタフェースにおいて生成されたエントリが上記ディスプレイに表示され、上記第２の状態のとき、上記第２のキーボードにおいて生成されたエントリが上記ディスプレイに表示されることを特徴とする請求項３３記載の電子装置。
【請求項３９】
上記第１の状態のとき、上記音楽再生インタフェースにおいて生成されたエントリが上記ディスプレイに表示され、上記第２の状態のとき、上記第１のキーボード及び上記第２のキーボードの両方において生成されたエントリが上記ディスプレイに表示されることを特徴とする請求項３３記載の電子装置。
【請求項４０】
上記第１の状態のとき、第１のモードで動作し、上記第２の状態のとき、第２のモードで動作することを特徴とする請求項３３記載の電子装置。
【請求項４１】
上記第１のモードは、音楽再生モードであり、上記第２のモードは、データ入力モードであることを特徴とする請求項４０記載の電子装置。
【請求項４２】
上記略々平面の第１パネルは、上記第２のパネル及び上記第３のパネルに、電子データを交換可能に連結されていることを特徴とする請求項３３記載の電子装置。
【請求項４３】
当該電子装置は、手に持って操作できる大きさの携帯型機器であることを特徴とする請求項３３記載の電子装置。
【請求項４４】
他の機器に接続するためのコネクタを更に備える請求項３３記載の電子装置。
【請求項４５】
上記コネクタは、上記第３の略々平面なパネルの第３の側面に配設されていることを特徴とする請求項４４記載の電子装置。
【請求項４６】
上記第１のキーボード及び第２のキーボードは、ＱＷＥＲＴＹ配列キーボードであることを特徴とする請求項３３記載の電子装置。
【請求項４７】
ファンクションキーを更に備える請求項３３記載の電子装置。
【請求項４８】
当該電子装置は、携帯電話機であることを特徴とする請求項３３記載の電子装置。
【請求項４９】
ａ．ディスプレイと、第１の側面及び第２の側面とを有する略々平面の第１のパネルと、
ｂ．第１のゲームインタフェースを有し、上記略々平面の第１のパネルの第１の側面に折り畳み可能に連結された略々平面の第２のパネルと、
ｃ．第２のゲームインタフェースを有し、上記略々平面の第１のパネルの第２の側面に折り畳み可能に連結された第３のパネルと、
ｄ．音楽再生インタフェースとを備え、
第１の状態において、上記第１のゲームインタフェース及び第２のゲームインタフェースが隠れ、第２の状態において、上記第１のゲームインタフェース及び第２のゲームインタフェースが露出し、上記第１の状態のとき、上記ディスプレイが、上記第２のパネル及び上記第３のパネルの間に形成される間隙から部分的に露出し、上記第２の状態のとき、上記ディスプレイが完全に露出する娯楽装置。
【請求項５０】
当該娯楽装置は、携帯電話機であることを特徴とする請求項４９記載の娯楽装置。
【請求項５１】
上記音楽再生インタフェースは、上記略々平面の第１のパネルの表面に配設されていることを特徴とする請求項４９記載の娯楽装置。
【請求項５２】
上記音楽再生インタフェースは、上記第２のパネルの背面に配設されていることを特徴とする請求項４９記載の娯楽装置。
【請求項５３】
上記音楽再生インタフェースは、上記略々平面の第１のパネルの第３の側面に配設されていることを特徴とする請求項４９記載の娯楽装置。
【請求項５４】
ａ．ディスプレイと、第１の側面及び第２の側面を有する略々平面の第１のパネルと、
ｂ．第１のキーボードを有し、上記略々平面の第１のパネルの第１の側面に折り畳み可能に連結された第２のパネルと、
ｃ．第２のキーボードを有し、上記略々平面の第１パネルの第２の側面に折り畳み可能に連結された第３のパネルと、
ｄ．音楽再生インタフェースとを備え、
第１の状態において、上記第１のキーボード及び第２のキーボードが隠れ、第２の状態において、上記第１のキーボード及び第２のキーボードが露出し、上記第１の状態のとき、上記ディスプレイが、上記第２のパネル及び上記第３のパネルの間に形成される間隙から部分的に露出し、上記第２の状態のとき、上記ディスプレイが完全に露出する電子装置。
【請求項５５】
当該電子装置は、携帯電話機であることを特徴とする請求項５４記載の電子装置。
【請求項５６】
上記音楽再生インタフェースは、上記略々平面の第１パネルの表面に配設されていることを特徴とする請求項５４記載の電子装置。
【請求項５７】
上記音楽再生インタフェースは、上記第２のパネルの背面に配設されていることを特徴とする請求項５４記載の電子装置。
【請求項５８】
上記音楽再生インタフェースは、上記略々平面の第１のパネルの第３の側面に配設されていることを特徴とする請求項５４記載の電子装置。
【請求項５９】
ａ．ディスプレイと、第１の側面及び第２の側面とを有する略々平面の第１パネルと、
ｂ．第１のインタフェースを有し、上記略々平面の第１パネルの第１の側面に折り畳み可能に連結された第２の略々平面なパネルと、
ｃ．上記略々平面の第１パネルの第２の側面に折り畳み可能に連結された第３の略々平面なパネルと、
ｄ．第３のインタフェースとを備え、
第１の状態のとき、上記第１のインタフェース及び上記第２のインタフェースが隠れ、第２の状態のとき、上記第１のインタフェース及び上記第２のインタフェースが露出する電子装置。
【請求項６０】
上記第１の状態のとき、上記ディスプレイが完全に隠れ、上記第２の状態のとき、上記ディスプレイが露出することを特徴とする請求項５９記載の電子装置。
【請求項６１】
上記第１の状態のとき、如何なるインタフェースによっても当該娯楽装置を制御することができず、上記第２の状態のとき、上記第１のインタフェースのみ、上記第２のインタフェースのみ、又は上記第１及び第２のインタフェースの両方によって選択的に当該電子装置を制御できることを特徴とする請求項５９記載の電子装置。
【請求項６２】
上記第２の状態のとき、上記第２のインタフェースにおいて生成されたエントリが上記ディスプレイに表示されることを特徴とする請求項５９記載の電子装置。
【請求項６３】
上記第２の状態のとき、上記第１のインタフェース及び第２のインタフェースの両方において生成されたエントリが上記ディスプレイに表示されることを特徴とする請求項５９記載の電子装置。
【請求項６４】
上記第１の状態のとき、第１のモードで動作し、上記第２の状態のとき、第２のモードで動作することを特徴とする請求項５９記載の電子装置。
【請求項６５】
上記略々平面の第１パネルは、上記第２のパネル及び上記第３のパネルに、電子データを交換可能に連結されていることを特徴とする請求項５９記載の電子装置。
【請求項６６】
当該電子装置は、携帯電話機であることを特徴とする請求項５９記載の電子装置。
【請求項６７】
当該電子装置は、娯楽装置であることを特徴とする請求項５９記載の電子装置。
【請求項６８】
当該電子装置は、音楽再生装置であることを特徴とする請求項５９記載の電子装置。
【請求項６９】
他の機器に接続するためのコネクタを更に備える請求項５９記載の電子装置。
【請求項７０】
上記第３のインタフェースは、音楽再生インタフェースであることを特徴とする請求項５９記載の電子装置。
【請求項７１】
上記第３のインタフェースは、上記第２のパネルに配設されていることを特徴とする請求項５９記載の電子装置。
【請求項７２】
当該電子装置が上記第１の状態及び第２の状態のいずれか一方に構成されると、上記第３のインタフェースが露出することを特徴とする請求項５９記載の電子装置。
【請求項７３】
上記第１の状態のとき、上記第３のインタフェースが上記ディスプレイを制御することを特徴とする請求項５９記載の電子装置。
【請求項７４】
上記第３のインタフェースは、上記第２のパネルの背面に配設されていることを特徴とする請求項５９記載の電子装置。
【請求項７５】
当該電子装置は、携帯電話機であることを特徴とする請求項５９記載の電子装置。
【国際調査報告】
2008502032.tif 000012
2008502032.tif 000013
2008502032.tif 000014